(57)【要約】【課題】    第三者によって開閉しにくい、防犯性の高い上枠カバーを提供する。【解決手段】  上枠２０、下枠３０、および左右の枠からなる枠体と、枠体内に収納される吊り障子１０とを備えた開口部装置であって、吊り障子の上端には、吊り障子の開閉時に一体となって移動される係止手段１５０を備え、上枠には吊り障子の戸車７６、および係止手段を隠すように上枠カバー１００を取り付け、上枠カバーの下部に設けられた係止部１０５と、係止手段とを係合することによって上枠カバーを開放規制するとともに、係止面には吊り障子の開状態の位置に切り欠き部を形成し、切り欠き部から係止手段を外すことによって上枠カバーの開放規制を解除する。【選択図】      図３
2005068922.tif 000002
【特許請求の範囲】
【請求項１】
上枠、下枠、および左右の枠からなる枠体と、前記枠体内に収納される吊り障子とを備えた開口部装置であって、
前記吊り障子の上端には、前記吊り障子の開閉時に一体となって移動される係止手段が備えられ、
前記上枠には前記吊り障子の戸車、および前記係止手段を隠すように上枠カバーが取り付けられており、前記上枠カバーの下部に設けられた係止部と、前記係止手段とが係合されることによって前記上枠カバーが開放規制されるとともに、前記係止面には前記吊り障子の開状態の位置に切り欠き部が形成されており、前記切り欠き部から前記係止手段が外れることによって前記上枠カバーの開放規制が解除される
ことを特徴とする開口部装置。
【発明の詳細な説明】
【技術分野】
【０００１】
本発明は、上枠カバーを備えた開口部装置に関する。
【背景技術】
【０００２】
近年、室内外の戸や扉には、開閉操作に多くの力を必要とせず、静粛性にも優れることから吊り障子が多く施工されている。吊り障子は上吊り式スライド扉であって、上部レールと吊り車とを備えている。上部レールと吊り車とは、吊り障子が収納された枠体の上枠内部に取り付けられており、上枠にはさらに外観の見栄えを良くするために、これら上部レール、および吊り車を覆い隠すための上枠カバーが取り付けられていることが多い。
【０００３】
特許文献１には、玄関の出入り口に設けられた、着脱が容易である上枠カバーが開示されている。図７に示すように、吊り障子４００を収めた収納枠４１０の上枠４２０には、後部縦壁４４０に懸下用レール４５０を設け、さらに懸下用レール４５０の上に車輪４６０を載設して吊り部とし、また、上枠４２０の室外側先端部には、車輪４６０等の部材が隠れて見えないように上枠カバー４３０を取り付けている。点線による丸枠内Ｓには上枠４２０と上枠カバー４３０の嵌合部を示し、さらに嵌合部の拡大図を矢印ｙ１の先に示す。
【０００４】
上枠カバー４３０は、上枠４２０の先端に形成された半蟻孔４７０に、上枠カバー４３０の嵌合部４８０を嵌め入れることによって上枠４２０に取り付けている。拡大図Ｓは、上枠４２０と上枠カバー４３０との嵌合途中の様子を示しており、嵌合は、矢印ｙ２方向に上枠カバー４３０を略９０度回転させることによって行う。また、嵌合後は、上枠４２０の突縁４３１に当接した上枠カバー４３０の爪部４９０によって、上枠カバー４３０が外れないように構成されている。逆に、上枠カバー４３０を開くときには、爪部４９０を引き抜いて持ち上げるだけの簡便な操作でよく、ほぼワンタッチで開閉できる。
【特許文献１】特開２０００−８０８５１号公報
【発明の開示】
【発明が解決しようとする課題】
【０００５】
しかし、玄関等に取り付けられた吊り障子の場合、上枠カバーを開けやすいと、メンテナンスし易さや、掃除のし易さ等の利点がある一方で、第三者も容易に開けることが可能であるため、いたずらされたり、場合によってはその第三者が内部へ侵入するのを可能にしてしまったりするおそれがあるという問題があった。
【０００６】
そこで、本発明は、第三者によって開閉しにくく、防犯性の高い上枠カバーを提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、上枠（２０）、下枠（３０）、および左右の枠（４０、５０）からなる枠体（９０）と、枠体内に収納される吊り障子（１０）とを備えた開口部装置（２００）であって、吊り障子の上端には、吊り障子の開閉時に一体となって移動される係止手段（１５０、１５０´）が備えられ、上枠には吊り障子の戸車（７６）、および係止手段を隠すように上枠カバー（１００）が取り付けられており、上枠カバーの下部に設けられた係止部（１０５）と、係止手段とが係合されることによって上枠カバーが開放規制されるとともに、係止面には吊り障子の開状態の位置に切り欠き部（１０６、１０７）が形成されており、切り欠き部から係止手段が外れることによって上枠カバーの開放規制が解除されることを特徴とする開口部装置を提供して前記課題を解決する。
【０００９】
請求項１の発明によれば、障子が開けられた状態以外では上枠カバーを開放することができないため、障子が閉められている留守宅等では上枠カバーを開けられるおそれがなく、いたずらを防止して、かつ防犯性を高めることができる。
【発明の効果】
【００１０】
請求項１の発明によれば、障子が開けられた状態以外では上枠カバーを開放することができないため、障子が閉められている留守宅等では上枠カバーを開けられるおそれがなく、いたずらを防止して、かつ防犯性を高めることができる。
【００１１】
本発明のこのような作用及び利得は、次に説明する発明を実施するための最良の形態から明らかにされる。
【発明を実施するための最良の形態】
【００１２】
以下本発明を図面に示す実施形態に基づき説明する。
【００１３】
図１は本発明にかかる開口部装置２００を室外側から示す正面図である。図示の開口部装置２００は、建物１の所定箇所に取り付けられる枠体９０と、枠体９０に取り付けられた片引の吊り障子である障子１０とを備えている。
【００１４】
枠体９０は、上枠２０、下枠３０、および左右の縦枠４０、および５０によって構成されており、上枠２０の室外側には、上枠２０を覆うように上枠カバー１００が取り付けられている。
【００１５】
障子１０は、上框１１、下框１２、左右の縦框１３、１４、および、これらの框に固定されたガラスパネル１５を有しており、右框１４には掘り込み引き手１６が形成されている。
【００１６】
図２は、図１におけるII−II線に沿った断面図である。なお、図２は障子１０が全閉した状態を示している。枠体９０の左右枠４０、および５０には、それぞれ袖パネル４１と、障子１０とを備えるための係合溝４２、および１７が形成されている。さらに、右枠５０は中空構造となっており、図２には表わされていないが、障子１０をスムーズに開閉させるための重りが枠内、または右框１４内に吊り下げられている。全閉時において係合溝１７には障子１０の戸先側である右框１４が係合されており、障子１０を開放するには係合溝１７から右框１４を抜き出して、見付け左方向にスライドさせる。また、枠体９０のほぼ中央部には、仕切り枠（方立機能を持つ。）１８が取り付けられている。
【００１７】
また、図２には示されていないが、吊り障子である障子１０を自動的に閉じる機構として、障子１０の上端部にワイヤを介して重りが連結されており、また、上記のとおり、戸先側の中空の右枠５０内には、ワイヤを導く滑車を介して重りが垂下されている。さらに、緩衝用のシリンダ（図示せず）も設けられており、障子の開閉時における省力、および安全性が高められている。
【００１８】
図３には、図１におけるIII−III線に沿った断面図を示す。障子１０の下框１２は、下方が開放されたガイド溝６１となっており、下枠３０には、障子１０のガイド溝６１を案内するガイドローラ６２が取り付けられている。また、下枠３０の上部中央付近には、下方が開放されたガイド溝６３を有するガイドフレーム６４が設けられ、ガイド溝６３に誘導されるガイドローラ６５がブラケット６６を介して取り付けられている。従って、障子１０が閉められた状態である図３においては、障子１０は２個のガイドローラ６２、６５により戸尻側と、戸先側とを保持されている。
【００１９】
一方、上枠２０は、室外壁７１、室内壁７０、上面７３、下面７４、および張出部７２を備えている。下面７４は、室外側辺が室外壁７１に合流されるとともに、さらに先端部を室外側に突出させ、障子１０のほぼ真上で上方向に折り曲げられたレール７５が形成されている。レール７５に載設された戸車７６はブラケット８０に回転自在に固定されている。ブラケット８０の固定面８１と障子１０の上框１１の上面１１ａとは、ねじ止めされることによって固定されており、障子１０が上枠２０に上吊り式に取り付けられている。
【００２０】
張出部７２の中間部からは、下方向に突出し、さらに室外方向に屈曲された嵌合部７７が形成されている。この嵌合部７７の先端部７７ａには、連結材１２０が嵌合されて固定される。連結材１２０の室内側には第一挟持面１２１、および第二挟持面１２２が形成されており、第一挟持面１２１、および第二挟持面１２２との間に形成された溝には嵌合部７７の先端部７７ａが嵌合される。第二挟持面１２２は、第一挟持面１２１よりも室内側に長くとられているため嵌合部７７の下面７８全体を受けることができ、安定して固定される。また、連結材１２０の室外側には、正円の切断面であって、その円周から所定の長さの弧が長手方向に平行に切り取られて開口部とされている略筒形状の連結溝１２３が形成されている。連結溝１２３には上枠カバー１００が連結されている。
【００２１】
上枠カバー１００の室内側面上方向には室外側面から室内方向に伸張されたスペース面１０１が形成されている。スペース面１０１の室内側先端部には、正円の切断面であって、その円周から所定の長さの弧が長手方向に平行に切り取られた略筒形状の回転部１０２が形成されている。回転部１０２は、連結溝１２３に隙間なく嵌め入れられる形状となっており、連結溝１２３と回転部１０２とは、嵌合部と、その嵌合部に対応する被嵌合部とを構成している。また、上記のとおり、連結溝１２３と回転部１０２とは略円筒状であるため、連結溝１２３内において回転部１０２が室内外方向に自由に回転可能となっている。かかる構成によって、上枠カバー１００が室内外方向に自由に開閉される。
【００２２】
上枠カバー１００は、上部を連結材１２０を介して張出部７２に回転可能に固定されている。また、上枠カバー１００は、下端部に折り返し部１０３を備えている。折り返し部１０３は、上枠カバー１００の室外面下端部が室内方向に屈曲されて形成された下面１０４と、下面１０４の室内側端部が上方向に屈曲されて形成された係止面１０５とを備えている。
【００２３】
一方、ブラケット８０には、障子１０を固定する固定面８１のほか、固定面８１の室外側端部が上方向に屈曲されて形成された取り付け面８２が備えられている。取り付け面８２には、２つの孔８２ａ、および８２ｂが形成されており、下記の係止片１５０をビス８３ａ、および８３ｂによって固定している。また、係止片１５０とともに、取り付け面８２を介して係止片１５０の裏側に、固定部材５００が取り付けられている。固定部材５００は、レール７５の下面７５ａに当接されているため、戸車７６の脱輪が防止されている。
【００２４】
係止片１５０は、ブラケット８０の取り付け面８２に固定される固定面１５１と、固定面１５１の下端部から室外方向に突出されて所定の長さに形成されたスペース面１５２と、スペース面１５２の室外側端部が下方向に屈曲されて形成された係止部１５３とで主に構成されている。固定面１５１には、ブラケット８０の孔８２ａ、および８２ｂと合うように孔１５１ａ、および１５１ｂが形成されており、上記のとおり、室外側から差込まれたビス８３ａ、および８３ｂによって、ブラケット８０に係止片１５０が固定される。また、室外側に突出するように設けられたスペース面１５２は、上枠カバー１００の下面１０４のほぼ真上の位置まで伸張されており、スペース面１５２の室外側端部より下方向に屈曲されて設けられた係止部１５３は、下面１０４と所定の間隔を保持しつつ、下部が折り返し部１０３の係止面１０５の上部と所定の間隔をおいて重なる位置に形成されている。この位置関係により、係止片１５０は上枠カバー１００のいずれの面にも当接されていないため、障子１０を左方向（紙面奥方向）に移動させて開ける場合には上枠カバー１００に干渉されることなくスムーズに開閉される。
【００２５】
また、上記のとおり、図３は障子１０が閉じられた状態を示しており、この状態において上枠カバー１００を開けようとしても、上枠カバー１００の下方を室外方向に回転させる動きが規制されるため開放されない。すなわち、上枠カバー１００、および係止片１５０の上述した形状により、上枠カバー１００の係止面１０５が係止片１５０の係止部１５３に突き当たることによって、回転の規制がなされるため、係止部１５３に突き当たった位置より室外側には上枠カバー１００は回転されない。このように、係止面１０５と、係止部１５３とは、障子が開放位置にある場合以外では、位置的な干渉を生じるように構成されている。従って、障子１０が閉められた状態においては上枠カバー１００を開放することは不可能であり、第三者によっても開けられることのない防犯性に優れた開放規制機構となっている。
【００２６】
図４（ａ）には、閉時における開口部装置２００の右側部分を室外側からみた透視図を示す。ブラケット８０が戸先側に設けられているとともに、戸尻側にもブラケット８０´が設けられている。図３に示したブラケット８０の周辺部材（戸車７６、係止片１５０等）と同一の部材がブラケット８０´にも配されているが、その説明については上記のブラケット８０の周辺部材の説明と重複するため省略する。
【００２７】
上枠カバー１００は、図示のとおりブラケット８０、および８０´に取り付けられた係止片１５０、および１５０´により、戸先側、および戸尻側の２箇所で開放規制されている。
【００２８】
図４（ｂ）には、図４（ａ）の一点鎖線による四角枠Ａで囲んだ範囲の拡大図を示す。なお、ブラケット８０の周辺部材を例として説明するが、図４（ａ）に示したブラケット８０´においても同様の構成である。
【００２９】
戸車７６のほぼ真下で、ブラケット８０のほぼ下部中央部にあたる位置には係止片１５０が取り付けられている。上記のとおり、係止片１５０の係止部１５３が上枠カバー１００の係止面１０５に干渉する位置まで入り込んでいる構成によって、上枠カバー１００の開放が規制される。
【００３０】
本発明の特徴は、上記で詳述した開放規制機構に加えて上枠カバー１００の開放機構にも備えられている。以下にその開放機構を詳述する。
【００３１】
図５（ａ）には、障子１０の「開」状態における開口部装置２００の左側部分を室外側からみた透視図を示す。なお、図５（ａ）、および下記の図５（ｂ）のブラケット８０、ブラケット８０´および係止片１５０、および１５０´は図４（ａ）と同一である。障子１０は左枠４０方向に移動され、開口部装置２００の右半分は障子１０の移動した分だけ開けられた状態となっている。
【００３２】
上枠カバー１００の折り返し部１０３に形成された係止面１０５には左部に切り欠き部１０６、および１０７が形成されており、切り欠き部１０６、および１０７は、障子１０が開放された状態において、ブラケット８０、および８０´に取り付けられた係止片１５０、および１５０´と対応する位置に配されている。
【００３３】
図５（ｂ）には、図５（ａ）の二点鎖線による四角枠Ｂで囲んだ範囲の拡大図を示す。なお、ブラケット８０の周辺部材を例として説明するが、図５（ａ）に示したブラケット８０´においても同様の構成である。戸車７６のほぼ真下で、ブラケット８０のほぼ下部中央部にあたる位置には係止片１５０が取り付けられている。上記のとおり、障子１０の閉時には、係止片１５０の係止部１５３が上枠カバー１００の係止面１０５に干渉する位置まで入り込んでいる構成によって、上枠カバー１００の開放が規制されているが、図５（ｂ）に示すように、障子１０が開けられた状態では、係止面１０５に対応する位置に切り欠き部１０６が配されている。切り欠き部１０６は、上枠カバー１００を開放するときに干渉する係止部１５３に対して一切干渉されない形状に切り欠かれており、切り欠き部１０６の底部１０６ａは、係止部１５３の下端部１５３ａよりわずかに下に形成されている。よって、障子１０が開けられれば、上枠カバー１００は容易に開放されるようになる。
【００３４】
上記の開放規制機構を備えた上枠カバー１００、および係止片１５０が取り付けられていれば、留守宅において障子１０が閉められている状態では第三者が上枠カバー１００を開放させることは不可能である。その一方で、家人により障子１０が開けられれば、開放規制機構が自動的に解除されるため、上枠カバー１００を容易に開放・閉鎖することができる。
【００３５】
さらに、図６には、係止片１５０が下方へ移動されている様子を概略的に示す。ブラケット８０を介して、係止片１５０の裏側に係止片１５０とともに取り付けられている固定部材５００は、上下方向に移動可能であるように取り付けられている。上記図３で表されているように、固定部材５００が上位置にあって上枠カバー１００の装着されている状態では、固定部材５００がレール７５の下面７５ａに当接されているため戸車７６をレール７５に載設することができない。よって、戸車７６の取り付け時には、図６の両端矢印Ｓで示すスペースを確保するため固定部材５００は下方へ移動される。なお、固定部材５００が下方に移動されると、連動して係止片１５０も図中の矢印の方向に移動される。移動により、係止片１５０の下端部５０１が折り返し部１０３の下面１０４に接する位置まで押し下げられるため、下端部５０１は切り欠き部１０６の底部１０６ａより下に位置し、上枠カバー１００が係止片１５０の前面５０２に突き当たるため、上枠カバー１００は上記に示した折り返し部１０３の下面１０４上方の定位置に移動されない。従って、戸車７６の取り付け後、上枠カバー１００の装着時に、上枠カバー１００が固定部材５００に突き当たるか、突き当たらないかによって、上記の戸車７６の脱輪が防止されているかどうかが分かるようになっている。
【００３６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３７】
【図１】開口部装置を示す正面図である。
【図２】図１におけるII−II線に沿った断面図を示す。
【図３】図１におけるIII−III線に沿った断面図を示す。
【図４（ａ）】閉時における開口部装置の右部を室外側からみた透視図を示す。
【図４（ｂ）】図４（ａ）の一点鎖線による四角枠Ａで囲んだ範囲の拡大図を示す。
【図５（ａ）】開時における開口部装置の左部を室外側からみた透視図を示す。
【図５（ｂ）】図５（ａ）の二点鎖線による四角枠Ｂで囲んだ範囲の拡大図を示す。
【図６】係止片が下方へ移動されている様子を概略的に示す図である。
【図７】従来例を示す。
【符号の説明】
【００３８】
１０  障子（吊り障子）
２０  上枠
３０  下枠
４０  左枠
５０  右枠
７６  戸車
９０  枠体
１００  上枠カバー
１０５  係止面
１０６、１０７  切り欠き部
１５０、１５０´  係止片（係止手段）
２００  開口部装置
【図１】
2005068922.tif 000003
【図２】
2005068922.tif 000004
【図３】
2005068922.tif 000005
【図４（ａ）】
2005068922.tif 000006
【図４（ｂ）】
2005068922.tif 000007
【図５（ａ）】
2005068922.tif 000008
【図５（ｂ）】
2005068922.tif 000009
【図６】
2005068922.tif 000010
【図７】
2005068922.tif 000011